(57)【要約】  インターネットブロードキャストシステムにおいて好適なコンテンツをユーザに提供する装置及び方法に関する。ユーザ端末機はブロードキャストサービスに対する要請をサービスプロバイダーに送信し、認証キーをサービスプロバイダーから受信し、ユーザ端末機のユーザ用として登録されていない第３のディスプレー端末機に伝達する。第３のディスプレー端末機は認証キー及び第３のディスプレー端末機の接続情報をサービスプロバイダーに伝達し、サービスプロバイダーは第３のディスプレー端末機に対する認証を実行し、認証の結果を第３のディスプレー端末機に伝達する。ユーザ端末機はユーザにより選択された情報をサービスプロバイダーに送信し、サービスプロバイダーは選択された情報に関連したブロードキャストサービスデータを第３のディスプレー端末機に送信し、第３のディスプレー端末機は送信されたブロードキャストサービスデータをディスプレーする。【選択図】図４
2011523253.tif 000002
【特許請求の範囲】
【請求項１】
インターネットブロードキャストシステムにおけるインターネットプロトコルテレビジョン（ＩＰＴＶ）サービス提供方法であって、
ユーザ端末機がブロードキャストサービスに対する要請をサービスプロバイダーに送信するステップと、
前記ユーザ端末機が認証キーを前記サービスプロバイダーから受信するステップと、
前記認証キーを前記ユーザ端末機のユーザ用として登録されていない第３のディスプレー端末機に伝達するステップと、
前記第３のディスプレー端末機が前記認証キー及び前記第３のディスプレー端末機の接続情報を前記サービスプロバイダーに伝達するステップと、
前記サービスプロバイダーが前記第３のディスプレー端末機に対する認証を実行するステップと、
前記認証の結果を前記第３のディスプレー端末機に伝達するステップと、
前記ユーザ端末機が前記ユーザにより選択された情報を前記サービスプロバイダーに送信するステップと、
前記サービスプロバイダーが前記選択された情報に関連したブロードキャストサービスデータを前記第３のディスプレー端末機に送信するステップと、
前記第３のディスプレー端末機が前記送信されたブロードキャストサービスデータをディスプレーするステップと、
を有することを特徴とするインターネットプロトコルテレビジョンサービス提供方法。
【請求項２】
前記サービスプロバイダーがユーザ環境パラメータを前記第３のディスプレー端末機に送信するステップと、
前記第３のディスプレー端末機が前記送信されたユーザ環境パラメータを設置するステップと、をさらに有することを特徴とする請求項１に記載のインターネットプロトコルテレビジョンサービス提供方法。
【請求項３】
前記ユーザ環境パラメータは、背景画面、リングトーン、メニュー位置、及び構成情報の中の少なくとも１つを含むことを特徴とする請求項２に記載のインターネットプロトコルテレビジョンサービス提供方法。
【請求項４】
前記ユーザ端末機がユーザ環境パラメータを前記第３のディスプレー端末機に送信するステップと、
前記第３のディスプレー端末機が前記送信されたユーザ環境パラメータを設置するステップと、をさらに有することを特徴とする請求項１に記載のインターネットプロトコルテレビジョンサービス提供方法。
【請求項５】
前記ユーザ環境パラメータは、背景画面、リングトーン、メニュー位置、及び構成情報の中の少なくとも１つを含むことを特徴とする請求項４に記載のインターネットプロトコルテレビジョンサービス提供方法。
【請求項６】
前記認証の結果を前記ユーザ端末機に伝達するステップをさらに有することを特徴とする請求項１に記載のインターネットプロトコルテレビジョンサービス提供方法。
【請求項７】
前記第３のディスプレー端末機がインターネットプロトコルテレビジョンサービスに関連した性能情報を前記サービスプロバイダーに伝達するステップをさらに有することを特徴とする請求項１に記載のインターネットプロトコルテレビジョンサービス提供方法。
【請求項８】
インターネットプロトコルテレビジョン（ＩＰＴＶ）サービスを提供するためのインターネットブロードキャストシステムであって、
前記インターネットプロトコルテレビジョンサービスを提供するサービスプロバイダーと通信するために、前記サービスプロバイダーに登録され、前記インターネットプロトコルテレビジョンサービスを前記ユーザ端末機のユーザに提供するユーザ端末機と、
前記サービスプロバイダーに当該ユーザ用として登録されず、前記サービスプロバイダーとの認証キーを前記ユーザ端末機から受信し、前記認証キーを用いて前記サービスプロバイダーとの認証を実行した後に、前記ユーザにより要請されたインターネットプロトコルテレビジョンサービスと関連したデータを前記サービスプロバイダーから受信し、前記受信したデータをディスプレーする第３のディスプレー端末機と、
を有することを特徴とするインターネットブロードキャストシステム。
【請求項９】
前記第３のディスプレー端末機は、前記サービスプロバイダーからユーザ環境パラメータを受信し、前記受信したユーザ環境パラメータを適用することを特徴とする請求項８に記載のインターネットブロードキャストシステム。
【請求項１０】
前記ユーザ環境パラメータは、背景画面、リングトーン、メニュー位置、及び構成情報の中の少なくとも１つを含むことを特徴とする請求項９に記載のインターネットブロードキャストシステム。
【請求項１１】
前記第３のディスプレー端末機は、前記ユーザ端末機からユーザ環境パラメータを受信し、前記受信したユーザ環境パラメータを適用することを特徴とする請求項８に記載のインターネットブロードキャストシステム。
【請求項１２】
前記ユーザ環境パラメータは、背景画面、リングトーン、メニュー位置、及び構成情報の中の少なくとも１つを含むことを特徴とする請求項１１に記載のインターネットブロードキャストシステム。
【請求項１３】
前記第３のディスプレー端末機は、
前記インターネットプロトコルテレビジョンサービスと関連した前記受信したデータをディスプレーするディスプレー部と、
前記認証キーを用いて前記サービスプロバイダーとの認証を実行するデバイス認証管理部と、
インターネットプロトコルテレビジョンサービス端末機と、
を有することを特徴とする請求項８に記載のインターネットブロードキャストシステム。
【請求項１４】
前記インターネットプロトコルテレビジョンサービス端末機は、オープンインターネットプロトコルテレビジョンフォーラム部（ＯＩＰＦ）を有することを特徴とする請求項１３に記載のインターネットブロードキャストシステム。
【発明の詳細な説明】
【技術分野】
【０００１】
本発明は、インターネットデータ転送プロトコルを用いてブロードキャストサービスをサポートするインターネットプロトコル（ＩＰ）ブロードキャストシステムに係り、特に、インターネットプロトコルテレビジョン（ＩＰＴＶ）サービスにおける、ユーザが希望するコンテンツだけを提供する方法及びそのためのインターネットプロトコル（ＩＰ）ブロードキャストシステムに関する。
【背景技術】
【０００２】
通信とブロードキャストとの融合は、市場性が高い次世代新規ビジネスモデルであって、次世代市場先導技術として注目されている。特に、ブロードキャスト−通信融合の主軸であるインターネットプロトコルテレビジョンサービス（以下、“ＩＰＴＶサービス”と称する。）技術は、既存のＴＶ、音声、及びデータ技術を組み合わせて１つの技術に結合することにより考案されたサービスを提供するだけでなく、これらサービスの双方向性をサポートすることにより新たなビジネスモデルとサービスの生成が可能である。サービス可能な端末機のタイプが制限された既存の環境で特化したサービスを提供する従来技術とは異なり、ＩＰＴＶ技術は、有線／無線網及び／又はブロードキャスト網などを介して固定型端末機（例えば、セットトップボックス、パーソナルコンピュータ、ＴＶなど）及び移動端末機（例えば、携帯電話、ＰＤＡ（Ｐｅｒｓｏｎａｌ  Ｄｉｇｉｔａｌ  Ａｓｓｉｔａｎｔ）など）のすべてのタイプにサービスを提供することにより、様々な環境で同一のサービスの提供及び適用を行うことができ、様々な環境を考慮して様々な新規サービスの開発を可能にする。
【０００３】
図１は、ＩＰＴＶに関連した全ドメイン及び価値連鎖を示す。
【０００４】
図１を参照すると、ＩＰＴＶと関連した全ドメインは、ＩＰＴＶサービスをユーザ１１００に提供するために、消費者ドメイン１１０１、ネットワークプロバイダードメイン１１０２、プラットフォームプロバイダードメイン１１０３、ＩＰＴＶサービスプロバイダードメイン１１０４、及びコンテンツプロバイダードメイン１１０５を含む。
【０００５】
ＩＰＴＶサービスを消費するドメインである消費者ドメイン１１０１は、サービスの受信及び消費のための少なくとも１つの端末機及び複数の端末機を含むネットワーク（例えば、ホームネットワーク）で構成される。端末機は、セットトップボックスだけでなく携帯電話及びＰＤＡを含む無線環境をサポートする携帯型端末機を含んでもよい。
【０００６】
ネットワークプロバイダードメイン１１０２は、ユーザ１１００をプラットフォーム又はサービスプロバイダーに接続し、様々なサービス及びコンテンツをユーザ１１００に伝達する。ネットワークプロバイダードメイン１１０２の送信システムは、有線／無線及びブロードキャスト送信技術をサポートすることができ、一般的に、アクセスネットワーク及び、コア又はバックボーンネットワークから構成される。
【０００７】
プラットフォームプロバイダードメイン１１０３は、ユーザ認証及び課金サービスのような共通のサービスをＩＰＴＶサービスプロバイダーに提供する。
【０００８】
ＩＰＴＶサービスを消費者ドメイン１１０１に提供するドメインであるＩＰＴＶサービスプロバイダードメイン１１０４は、コンテンツプロバイダーから提供されるコンテンツを受信し、該コンテンツをサービスにパッケージングした後に消費者ドメイン１１０１に提供する。
【０００９】
コンテンツプロバイダードメイン１１０５は、コンテンツ又はコンテンツ資産を格納し、それに対する著作権を有する。スケジュールされたコンテンツサービス及びコンテンツオンデマンド（ｃｏｎｔｅｎｔ−ｏｎ−ｄｅｍａｎｄ）サービスだけでなく様々なＩＰＴＶサービスは、上述した５つのドメイン１１０１〜１１０５を介して提供される。
【００１０】
また、４個の機能部１１０６〜１１０９は、このようなサービスを提供するように１つの価値連鎖を構成する。より詳細には、コンテンツプロバイダードメイン１１０５に含まれたコンテンツ制作部（ｃｏｎｔｅｎｔ  ｐｒｏｄｕｃｔｉｏｎ  ｕｎｉｔ）１１０９は、実際のコンテンツの制作及び編集を行う。ＩＰＴＶサービスプロバイダードメイン１１０４に含まれたコンテンツアグリゲーション部（ｃｏｎｔｅｎｔ  ａｇｇｒｅｇａｔｉｏｎ  ｕｎｉｔ）１１０８は、様々なコンテンツプロバイダーから提供されたコンテンツを受信し、該受信したコンテンツを様々なサービスにアグリゲーションする。プラットフォームプロバイダードメイン１１０３及びネットワークプロバイダードメイン１１０２の双方にアクセスするコンテンツ伝達部（Ｃｏｎｔｅｎｔ  Ｄｅｌｉｖｅｒｙ  Ｕｎｉｔ）１１０７は、ＩＰＴＶサービスプロバイダーから提供されるアグリゲーションされたコンテンツを消費者ドメイン１１０１に伝達する。消費者ドメイン１１０１に含まれたコンテンツ再構成部（Ｃｏｎｔｅｎｔ  Ｒｅｃｏｎｓｔｉｔｕｔｉｏｎ  Ｕｎｉｔ）１１０６は、この提供されたコンテンツをユーザが見えるフォーマットに変換する。
【００１１】
ＩＰＴＶサービスは、ＱｏＳ（Ｑｕａｌｉｔｙ  ｏｆ  Ｓｅｒｖｉｃｅ）の提供の有無により管理モデル（ｍａｎａｇｅｄ  ｍｏｄｅｌ）及び非管理モデル（Ｏｐｅｎ  Ｉｎｔｅｒｎｅｔ）に分類される。管理モデルの場合、サービスプロバイダーは、プラットフォームプロバイダードメイン１１０３、ネットワークプロバイダードメイン１１０２、及びＩＰＴＶサービスプロバイダードメイン１１０４を統合して運営する。非管理モデルの場合、サービスプロバイダーとネットワークプロバイダーとが分離されているので、サービスプロバイダーは、ＩＰＴＶサービスプロバイダードメイン１１０４に属しており、他のネットワークプロバイダー（すなわち、ネットワークプロバイダードメイン１１０２及びプラットフォームプロバイダードメイン１１０３）にコンテンツの伝達を任せる。
【００１２】
図２は、ユーザがサービスプロバイダーから提供されたコンテンツを受信し、その後に受信したコンテンツを使用する従来のフローを示す図である。
【００１３】
上述したように、サービスプロバイダー１２０１は、管理モデル及び非管理モデルの中のいずれか１つで動作する。ここで、サービスプロバイダー１２０１は、管理モデルで動作すると仮定する。したがって、説明の便宜上、図２にはネットワークプロバイダーを図示しない。
【００１４】
図２を参照すると、コンテンツプロバイダー１２００は、ステップ１２０４で、コンテンツ及びコンテンツに関する詳細情報（以下、“コンテンツ情報”と称する。）を生成し、ステップ１２０５で、該生成したコンテンツ及びコンテンツ情報をサービスプロバイダー１２０１に提供する。
【００１５】
このコンテンツ及びコンテンツ情報を受信したサービスプロバイダー１２０１は、ステップ１２０６で、この提供されたコンテンツ及びコンテンツ情報を用いて電子番組ガイド（Ｅｌｅｃｔｒｏｎｉｃｓ  Ｐｒｏｇｒａｍ  Ｇｕｉｄｅ：以下、“ＥＰＧ”と称する。）を生成する。ＥＰＧは、サービスプロバイダー１２０１が提供するサービス及びコンテンツに関する詳細情報、購入方法、アクセス方法などを含むことができる。
【００１６】
ステップ１２０７で、サービスプロバイダー１２０１は、ＥＰＧをセットトップボックス１２０２に伝達する。ＥＰＧを受信したセットトップボックス１２０２は、ステップ１２０８で、ＥＰＧを処理し、ＥＰＧの処理情報をＴＶ（又は他のディスプレー装置）１２０３に提供し、これにより、ユーザ１１００がこれを見ることができるようにこの情報をディスプレーする。
【００１７】
ユーザ１１００は、ステップ１２０９でＴＶ１２０３上にディスプレーされたＥＰＧを参照して所望するコンテンツを選択し、ＴＶ１２０３は、ステップ１２１０で、この選択されたコンテンツに対する要請メッセージを、セットトップボックス１２０２を介してサービスプロバイダー１２０１に送信する。
【００１８】
ステップ１２１１で、この選択されたコンテンツは、ユーザ１１００に伝達される。この時、コンテンツは、サービスプロバイダー１２０１のポリシーに従って様々な方式で伝達されることができる。例えば、サービスプロバイダー１２０１は、格納されているコンテンツをユーザ１１００に直接伝達するか、又はサービスプロバイダーのサービスポリシーに従ってコンテンツプロバイダー１２００から受信したコンテンツをユーザ１１００に伝達することができる。送信モード及びコンテンツタイプは、例えば、ストリーミング／ダウンローディングモード及びリアルタイム／ノンリアルタイムタイプに分類することもできる。ステップ１２１２で、この伝達されたコンテンツは、ＴＶ１２０３を介してディスプレーされ、ユーザ１１００がこのディスプレーされたコンテンツを視聴することができる。
【００１９】
ＩＰネットワークを介して膨大な数のチャネルをサポートするインターネットブロードキャストシステムにおいて、ユーザが上述したような従来のシステムを用いて所望するチャネルを検索することは困難な場合があった。したがって、インターネットブロードキャストシステムにおいてユーザが所望するコンテンツを検索し、このコンテンツと関連したチャネルを確認した後にチャネルにスイッチングするという不便な手順なしに、ユーザが所望するコンテンツだけをユーザに提供する方法及び装置が切実に要求されるという問題があった。
【発明の概要】
【発明が解決しようとする課題】
【００２０】
そこで、本発明は上記従来の問題点に鑑みてなされたものであって、本発明の目的は、インターネットブロードキャストシステムにおいて、ユーザが好適なコンテンツだけを受信できるようにする方法及びシステムを提供することにある。
【００２１】
本発明の他の目的は、インターネットブロードキャストシステムにおいて、ユーザが加入したＩＰＴＶサービスを、当該ユーザ用として登録されていない第３のディスプレー端末機を用いて受信できるようにする方法及びシステムを提供することにある。
【課題を解決するための手段】
【００２２】
上記のような目的を達成するために、本発明の実施形態の一態様によれば、インターネットブロードキャストシステムにおけるインターネットプロトコルテレビジョン（ＩＰＴＶ）サービス提供方法が提案される。ユーザ端末機は、ブロードキャストサービスに対する要請をサービスプロバイダーに送信する。前記ユーザ端末機は、認証キーを前記サービスプロバイダーから受信し、前記認証キーを前記ユーザ端末機のユーザ用として登録されていない第３のディスプレー端末機に伝達する。前記第３のディスプレー端末機は、前記認証キー及び前記第３のディスプレー端末機の接続情報を前記サービスプロバイダーに伝達する。前記サービスプロバイダーは、前記第３のディスプレー端末機に対する認証を実行し、前記認証の結果を前記第３のディスプレー端末機に伝達する。前記ユーザ端末機は、前記ユーザにより選択された情報を前記サービスプロバイダーに送信する。前記サービスプロバイダーは、前記選択された情報に関連したブロードキャストサービスデータを前記第３のディスプレー端末機に送信する。前記第３のディスプレー端末機は、前記送信されたブロードキャストサービスデータをディスプレーする。
【００２３】
本発明の実施形態の他の態様によれば、インターネットプロトコルテレビジョン（ＩＰＴＶ）サービスを提供するためのインターネットブロードキャストシステムが提案される。ユーザ端末機は、前記インターネットプロトコルテレビジョンサービスを提供するサービスプロバイダーと通信するために、前記サービスプロバイダーに登録され、前記インターネットプロトコルテレビジョンサービスを前記ユーザ端末機のユーザに提供する。第３のディスプレー端末機は、当該ユーザ用としては前記サービスプロバイダーに登録されず、前記サービスプロバイダーとの認証キーを前記ユーザ端末機から受信し、前記認証キーを用いて前記サービスプロバイダーとの認証を実行した後に、前記ユーザにより要請されたインターネットプロトコルテレビジョンサービスと関連したデータを前記サービスプロバイダーから受信し、前記受信したデータをディスプレーする。
【発明の効果】
【００２４】
本発明は、ユーザが加入しているＩＰＴＶサービスをユーザの環境情報を含む第３のディスプレー端末機を用いて視聴できるようにする。したがって、ユーザは、ユーザの位置に関係なくＩＰＴＶサービスを容易に受信でき、サービスプロバイダーは、このようなサービスを提供することにより利益を十分確保できる。
【図面の簡単な説明】
【００２５】
【図１】ＩＰＴＶサービスのためのドメイン構成及び価値連鎖を示す図である。
【図２】ユーザがサービスプロバイダーから提供されたコンテンツを受信した後に使用する従来のフローを示す図である。
【図３】本発明の実施形態によるネットワーク装置の構成を示す図である。
【図４】本発明の実施形態によるＩＰＴＶサービスを提供する手順を示す図である。
【図５】本発明の他の実施形態によるＩＰＴＶサービスを提供する手順を示す図である。
【発明を実施するための形態】
【００２６】
本発明の他の目的、利点、及び顕著な特徴は、添付の図面及び本発明の実施形態からなされた以下の詳細な説明から、この分野の当業者に明確になるはずである。
【００２７】
以下、本発明の好適な実施形態を、添付の図面を参照しつつ詳細に説明する。図面中、同一の構成要素には、可能な限り同一の参照符号及び番号を付するものとする。また、明瞭性と簡潔性の観点から、本発明に関連した公知の機能や構成に関する具体的な説明が本発明の要旨を不明瞭にすると判断される場合には、その詳細な説明を省略する。
【００２８】
以下の説明において、本発明の実施形態は、説明の便宜のために、非同期移動通信標準である第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）又はインターネットプロトコルＴＶの標準機構であるオープンＩＰＴＶフォーラム（Ｏｐｅｎ  ＩＰＴＶ  Ｆｏｒｕｍ：ＯＩＰＦ）で定義しているエンティティの名称を用いて説明するが、このような標準及び名称が本発明の範囲を限定するのではなく、本発明は類似の技術的背景を有するシステムにも適用できる。
【００２９】
図３は、本発明の実施形態によるネットワーク装置の構成を示す図である。特に、図３のネットワーク装置は、図１に示した既存のＩＰＴＶネットワーク装置に付加される論理エンティティを含む。
【００３０】
図３を参照すると、ＩＰＴＶサービスに加入したユーザ４００は、無線ＩＰＴＶ端末機１００を有している。無線ＩＰＴＶ端末機１００は、ＩＰＴＶサービスプロバイダー３００に登録されている（以下、略して“サービスプロバイダー”と称する。）。サービスプロバイダー３００は、無線通信媒体を用いて無線ＩＰＴＶ端末機１００と通信する。また、このネットワークは、第３のディスプレー端末機２００、例えば、公共の場所でのモニター又はユーザ４００用として登録されていない他のディスプレーデバイスを含む。
【００３１】
第３のディスプレー端末機２００は、ディスプレー部２１０、デバイス認証管理部２２０、及びオープンＩＰＴＶフォーラム（ＯＩＰＦ）部２３０を含む。ディスプレー部２１０は、ユーザ４００がＩＰＴＶサービスを視聴できるようにマルチメディアデータをディスプレーする。デバイス認証管理部２２０は、サービスプロバイダー３００との認証のために一時暗号化キー（以下、“一時キー”と略称する。）の格納及び保護を行う。ＯＩＰＦ部２３０は、ＯＩＰＦで定義したＩＰＴＶ端末機として機能する。
【００３２】
図４は、本発明の実施形態によるＩＰＴＶサービスを提供する手順を示す図である。
【００３３】
図４を参照すると、ステップ４１０で、ユーザ４００は、無線ＩＰＴＶ端末機１００及び第３のディスプレー端末機２００を用いてＩＰＴＶサービスを視聴するか又は楽しむことができる特定のサービス（例えば、Ａｎｙ  ＴＶサービスと称する。）に対する要請を無線ＩＰＴＶ端末機１００に送信する。
【００３４】
ステップ４１５で、無線ＩＰＴＶ端末機１００は、Ａｎｙ  ＴＶサービス要請メッセージをサービスプロバイダー３００に送信する。ここで、Ａｎｙ  ＴＶサービス要請メッセージは、標準団体であるＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）で定義しているＩＰマルチメディアサブシステムセッション開始プロトコル（ＩＰ  Ｍｕｌｔｉｍｅｄｉａ  Ｓｕｂｓｙｓｔｅｍ  Ｓｅｓｓｉｏｎ  Ｉｎｉｔｉａｔｉｏｎ  Ｐｒｏｔｏｃｏｌ：ＩＭＳ  ＳＩＰ）を使用し、関連標準で定義した“ＳＩＰ要請メッセージ”は、この要請メッセージとして使用されることができる。“Ｒｅｑｕｅｓｔ  ＵＲＩ（Ｕｎｉｖｅｒｓａｌ  Ｒｅｓｏｕｒｃｅ  Ｉｄｅｎｔｉｆｉｅｒ）”は、本発明の実施形態によるブロードキャストサービスを提供するサーバのＰＳＩ（Ｐｕｂｌｉｃ  Ｓｅｒｖｉｃｅ  Ｉｄｅｎｔｉｆｉｅｒ）を含む。
【００３５】
以下の表１は、ＳＩＰ要請メッセージの一例を示す。
【表１】
2011523253.tif 000003
【００３６】
Ａｎｙ  ＴＶサービス要請メッセージを通じて要請されたＡｎｙ  ＴＶサービスをユーザ４００に提供するために、サービスプロバイダー３００は、ＩＭＳ網に基づくＡｎｙ  ＴＶサービス機能ブロックを定義しなければならず、適切なＰＳＩが割り当てられているＩＭＳを用いてサービスをユーザ４００に提供できなければならない。したがって、ステップ４２０で、サービスプロバイダー３００は、第３のディスプレー端末機２００の認証のために使用される一時キー（Ｔｅｍｐｏｒａｒｙ  Ｋｅｙ）を無線ＩＰＴＶ端末機１００に伝達する。この一時キーは、セキュリティーキーの有効期間、セキュリティーキーの権限範囲などに関する情報を含んでもよい。サービスプロバイダー３００は、第３のディスプレー端末機２００を介してＩＰＴＶサービスを視聴する間に、ユーザに情報を入力する権限を与えることもでき、又はＩＰＴＶサービスだけを視聴する権限を与えることもできる。したがって、サービスプロバイダー３００は、このような権限範囲情報を含むように暗号化キーを生成し、該暗号化キーを伝達する。
【００３７】
一時キーを受信すると、無線ＩＰＴＶ端末機１００は、ステップ４２５で、この受信した一時キーを第３のディスプレー端末機２００に送信する。
【００３８】
ステップ４３０で、第３のディスプレー端末機２００は、この受信した一時キーとともに自身のＩＰアドレスなどを含む接続情報をサービスプロバイダー３００に伝達する。
【００３９】
ステップ４３３で、サービスプロバイダー３００は、第３のディスプレー端末機２００から受信した一時キーを自身の暗号化キーと比較することにより第３のディスプレー端末機２００を認証する。
【００４０】
ステップ４３５で、サービスプロバイダー３００は、この認証の結果を第３のディスプレー端末機２００に伝達する。ステップ４３７で、サービスプロバイダー３００は、この同一の認証結果を無線ＩＰＴＶ端末機１００に伝達する。しかしながら、ステップ４３７は、この認証の結果が無線ＩＰＴＶ端末機１００と第３のディスプレー端末機２００との間で送受信できる場合には省略してもよい。
【００４１】
ステップ４７０で、この認証の結果を受信した第３のディスプレー端末機２００は、ＩＰＴＶサービスに関連した性能（端末機能力）情報をサービスプロバイダー３００に送信する。ステップ４７０は、実施に当って省略することもできる。
【００４２】
ステップ４４０で、ユーザ４００は、事前に無線ＩＰＴＶ端末機１００にダウンロードされ格納されているコンテンツガイド４４５を用いてコンテンツ又は特定のサービスを選択する。ユーザ４００が選択した情報は、ステップ４５０でサービスプロバイダー３００に送信される。ステップ４４０及びステップ４５０は、ユーザ４００がサービスプロバイダー３００に直接アクセスし、このコンテンツ又はサービスを選択する動作に置き換えてもよい。
【００４３】
ステップ４５５で、サービスプロバイダー３００は、ユーザ４００により選択されたサービスに関連したデータを第３のディスプレー端末機２００に送信する。
【００４４】
ステップ４６５で、ユーザ４００は、第３のディスプレー端末機２００を介してディスプレーされたＡｎｙ  ＴＶサービスを楽しむ（視聴して享受する）。
【００４５】
また、ステップ４６０で、ユーザ４００は、ステップ４２０で伝達した一時キーにより定義される権限範囲に基づいてＩＰＴＶサービスを楽しむ間にサービスプロバイダー３００により第３のディスプレー端末機２００に情報を入力するようにしてもよい。
【００４６】
図５は、本発明の他の実施形態によるＩＰＴＶサービスを提供する手順を示す図である。
【００４７】
図５を参照すると、図４に示すように、ユーザ４００は、第３のディスプレー端末機２００を介して自身のＩＰＴＶサービスだけでなくサービス環境も移動することによりこれを楽しむことができる。したがって、図５に示すＩＰＴＶサービス手順は、図５がステップ５１０、ステップ５２０、ステップ５３０、及びステップ５４０をさらに含むことを除いては図４と同一である。したがって、図４と関連して説明したステップの反復説明を省略する。
【００４８】
図５を参照すると、サービスプロバイダー３００での認証の結果が第３のディスプレー端末機２００及び無線ＩＰＴＶ端末機１００に伝達された後に、サービスプロバイダー３００は、ステップ５１０で、ユーザ４００に合うユーザ環境パラメータを含むルックアンドフィール（Ｌｏｏｋ  ａｎｄ  Ｆｅｅｌ、ＬＦＣ）パッケージを第３のディスプレー端末機２００に送信する。ユーザ環境パラメータは、例えば、背景画面、リングトーン、メニュー位置、及び構成情報などを含み得る。ステップ５２０で、第３のディスプレー端末機２００は、受信したＬＦＣパッケージを設置する。あるいは、ステップ５１０及びステップ５２０を実行する代わりに、無線ＩＰＴＶ端末機１００は、ステップ５３０で指定されたユーザ環境パラメータを第３のディスプレー端末機２００に直接送信してもよい。その後に、ステップ５４０で、第３のディスプレー端末機２００は、この受信したユーザ環境パラメータを適用する。このような方式で、ユーザ４００は、第３のディスプレー端末機２００を介して自身のＩＰＴＶサービスだけでなくサービス環境までも移動しながらこれを楽しむことができる。
【００４９】
上述の説明から明らかなように本発明によれば、ユーザは、その環境情報を含む第３のディスプレー端末機を利用して、加入したＩＰＴＶサービスを視聴することが可能になる。それ故、ユーザは、自分の所在位置に関係なく好便にＩＰＴＶサービスを享受でき、サービスプロバイダーは、さらに有料サービスの提供を増加できる。
【００５０】
本発明の実施形態は、コンピュータ読み取り可能な記録媒体上でコンピュータ読み取り可能なコードとして実現することもできる。コンピュータ読み取り可能な記録媒体は、コンピュータシステムにより読出し可能なデータを記憶できる任意のデータ記憶装置である。コンピュータ読み取り可能な記録媒体の例としては、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置、及び搬送波（有線又は無線伝送経由のインターネットを介したデータ伝送送信の場合）が含まれるが、これらに限定されるものではない。また、上記コンピュータ読み取り可能な記録媒体は、コンピュータ読み取り可能なコードが配布される方式で記憶されて実行されるように、ネットワーク結合型コンピュータシステムを介して配布できる。更に、本発明を遂行するための関数プログラム、コード及びコードセグメントは、本発明が属する技術分野で熟練したプログラマーにより本発明の範囲内で容易に解釈できるであろう。
【００５１】
以上、本発明を具体的な実施形態を参照して詳細に説明してきたが、本発明の範囲及び趣旨を逸脱することなく様々な変更が可能であるということは、当業者には明らかであり、本発明の範囲は上述の実施形態に限定されるべきではなく、特許請求の範囲の記載及びこれと均等なものの範囲内で定められるべきである。
【符号の説明】
【００５２】
１００    無線ＩＰＴＶ端末機
２００    第３のディスプレー端末機
２１０    ディスプレー部
２２０    デバイス認証管理部
２３０    ＯＩＴＦ（オープンＩＰＴＶフォーラム）部
３００    （ＩＰＴＶ）サービスプロバイダー
４００    ユーザ
４１０    Ａｎｙ  ＴＶサービス要請ステップ
４１５    Ａｎｙ  ＴＶサービス要請ステップ（ＳＩＰ要請メッセージ送信ステップ）
４２０    一時キー伝達ステップ
４２５    一時キー伝達ステップ
４３０    一時キー及び接続情報伝達ステップ
４３３    認証ステップ
４３５    認証結果伝達ステップ
４３７    認証結果伝達ステップ
４４０    コンテンツ又はサービス選択ステップ
４４５    コンテンツガイド
４５０    選択情報送信ステップ
４５５    選択されたサービス関連データ送信ステップ
４６０    サービス内のユーザ入力ステップ
４６５    Ａｎｙ  ＴＶサービスを楽しむステップ
４７０    性能（端末機能力）情報送信ステップ
５１０    ＬＦＣパッケージ送信ステップ
５２０    ＬＦＣパッケージ設置ステップ
５３０    ユーザ環境パラメータ送信ステップ
５４０    ユーザ環境パラメータ適用ステップ
１１００    ユーザ
１１０１    消費者ドメイン
１１０２    ネットワークプロバイダードメイン
１１０３    プラットフォームプロバイダードメイン
１１０４    ＩＰＴＶサービスプロバイダードメイン
１１０５    コンテンツプロバイダードメイン
１１０６    コンテンツ再構成部
１１０７    コンテンツ伝達部
１１０８    コンテンツアグリゲーション部
１１０９    コンテンツ制作部
１２００    コンテンツプロバイダー
１２０１    サービスプロバイダー
１２０２    セットトップボックス
１２０３    ＴＶ（ディスプレー）
１２０４    コンテンツ及びコンテンツ情報生成ステップ
１２０５    コンテンツ及びコンテンツ情報伝達ステップ
１２０６    ＥＰＧ生成ステップ
１２０７    ＥＰＧ送信ステップ
１２０８    ＥＰＧ処理及びディスプレーステップ
１２０９    コンテンツ選択ステップ
１２１０    コンテンツ要請ステップ
１２１１    コンテンツ伝達ステップ
１２１２    コンテンツ視聴ステップ
【図１】
2011523253.tif 000004
【図２】
2011523253.tif 000005
【図３】
2011523253.tif 000006
【図４】
2011523253.tif 000007
【図５】
2011523253.tif 000008
【国際調査報告】
2011523253.tif 000009
2011523253.tif 000010